(57)【要約】      （修正有）【課題】安定した傾斜展示が可能であるとともに、傾斜展示を行わない場合にも不要とならず、かつ収納スペースを節約することができる傾斜展示具を提供する。【解決手段】平面状の切れ込み５を有する傾斜展示部材４を用い、ブックエンド１の底板２の少なくとも一部を前記切れ込み５内に挿入し、前記切れ込み５の上下面で前記底板２を挟持させてブックエンド１と傾斜展示部材４とを一体化させ、前記底板２の上面２ｕを被展示物の下部の支承面、ブックエンド１の側板３の正面３ｆを被展示物の背部の支承面として使用するブックエンド１の傾斜展示具としての使用方法、それに用いる傾斜展示部材４、並びに、ブックエンド１と傾斜展示部材４が結合一体化した傾斜展示用結合体。【選択図】図１
2018068991.tif 000002
【特許請求の範囲】
【請求項１】
舌状に突き出た底板と、前記底板に対して略垂直に立ち上がる側板とを備えたブックエンドの傾斜展示具としての使用方法であって、平面状の切れ込みを有する傾斜展示部材を用い、前記ブックエンドの前記底板の少なくとも一部を、前記傾斜展示部材の前記切れ込み内に挿入し、前記切れ込みをその平面に対して垂直方向に押し広げることによって、前記切れ込みの上下面で前記底板を挟持させて前記ブックエンドと前記傾斜展示部材とを一体化させ、一体化した前記ブックエンドと前記傾斜展示部材とが前記底板の下面を下方に向けて平面上に載置されたとき、前記底板の後部及び前記傾斜展示部材の下部が前記平面と当接することにより、前記底板及び前記側板がそれぞれ水平面及び垂直面に対して傾斜し、前記底板の上面を被展示物の下部の支承面、前記側板の前記底板の舌状に突き出た先端部側の面を被展示物の背部の支承面として使用するブックエンドの傾斜展示具としての使用方法。
【請求項２】
前記傾斜展示部材の前記切れ込み内に挿入される前記底板の少なくとも一部が、舌状に突き出た前記底板の両側部を含んでいる請求項１記載のブックエンドの傾斜展示具としての使用方法。
【請求項３】
前記傾斜展示部材の前記切れ込み内に挿入される前記底板の少なくとも一部が、舌状に突き出た前記底板の前記側板からの突出長さの１／２よりも前記側板から遠い位置にある請求項１又は２記載のブックエンドの傾斜展示具としての使用方法。
【請求項４】
請求項１〜３のいずれかに記載のブックエンドの傾斜展示具としての使用方法に用いられる傾斜展示部材であって、前記ブックエンドの前記底板の少なくとも一部が挿入可能な平面状の切れ込みを有する傾斜展示部材。
【請求項５】
平面状の前記切れ込みが、前記切れ込みの平面を水平に位置させたときの前記傾斜展示部材の高さ方向中心からずれた位置に設けられている請求項４記載の傾斜展示部材。
【請求項６】
平面状の前記切れ込みが、前記傾斜展示部材を貫通している請求項４又は５に記載の傾斜展示部材。
【請求項７】
前記傾斜展示部材が切り欠き部を有し、前記切り欠き部によって、平面状の前記切れ込みが２つ又はそれ以上に分割されている請求項４〜６のいずれかに記載の傾斜展示部材。
【請求項８】
前記ブックエンドの前記底板の少なくとも一部が前記切れ込み内に挿入されたときに、前記傾斜展示部材の上面又は前記底板の舌状に突き出た先端部側となる面に、文字、絵、図形、又は記号の表示部を有している請求項４〜７のいずれかに記載の傾斜展示部材。
【請求項９】
舌状に突き出た底板と前記底板に対して略垂直に立ち上がる側板とを備えたブックエンドと、請求項４〜８のいずれかに記載の傾斜展示部材とが、前記底板の少なくとも一部が、前記傾斜展示部材の前記切れ込み内に挿入され、前記切れ込みの上下面で前記底板が挟持されることによって、互いに結合、一体化されている傾斜展示用結合体。
【発明の詳細な説明】
【技術分野】
【０００１】
本発明は、通常、書籍等を立てて並べるのに用いられるブックエンドを傾斜展示具として使用する方法、及び当該方法に用いる傾斜展示部材、並びにブックエンドと傾斜展示部材とが一体化されてなる傾斜展示用結合体に関する。
【背景技術】
【０００２】
傾斜展示は、例えば書籍等の被展示物を斜めに立て掛けて展示する展示方法であり、単に平置きする展示よりも人の注意を引き易いので、特に注目を集めたい推薦図書や新刊書などを陳列、展示する方法として、図書館や書店等で広く利用されている。
【０００３】
被展示物を安定的に傾斜展示するにはそれに適した展示具が必要で、例えば、非特許文献１には折り曲げたワイヤーで構成されるブックスタンドが、非特許文献２にはアクリル樹脂からなるブックスタンドが、それぞれ開示されている。これらのブックスタンドは、いずれも、書籍等の下部を支える部材と、背面を支える部材とを有しており、書籍等の被展示物を傾斜状態で安定して展示することができる器具である。
【０００４】
また、特許文献１には、傾斜した背面支持板に対し、被展示物の下端部を支持する正面支持板を有する底面支持板をスライド移動可能に取り付け、被展示物の傾き角度を調整自在とした商品陳列台が開示されており、このような商品陳列台も被展示物を傾斜した状態で展示するという意味では傾斜展示具であるといえる。
【０００５】
しかしながら、これら従来の傾斜展示用のブックスタンドや商品陳列台は、いずれも傾斜展示専用の器具であるので、傾斜展示を行わない場合には当然使用することはなく、どこかに収納しておかなければならないという不便さがあり、加えて、各々が、安定した傾斜展示を実現するために工夫されたそれぞれ固有の立体形状を有しているので、収納には比較的大きなスペースを必要とするという不都合がある。
【先行技術文献】
【特許文献】
【０００６】
【特許文献１】特開２００６−０００２５６号公報
【非特許文献】
【０００７】
【非特許文献１】キハラ株式会社、“商品詳細、ワイヤーブックスタンド”、［ｏｎｌｉｎｅ］、［平成２８年１１月１日検索］、インターネット＜ＵＲＬ：http://www.kihara-lib.co.jp/php/data.php?id=9966＞
【非特許文献２】キハラ株式会社、“商品詳細、アクリルブックスタンド”、［ｏｎｌｉｎｅ］、［平成２８年１１月１日検索］、インターネット＜ＵＲＬ：http://www.kihara-lib.co.jp/php/data.php?id=9975＞
【発明の概要】
【発明が解決しようとする課題】
【０００８】
本発明は、上記従来の傾斜展示具が有する不便さや不都合を解消するために為されたもので、安定した傾斜展示が可能であるとともに、傾斜展示を行わない場合にも不要とならず、かつ収納スペースを節約することができる傾斜展示具を提供することを提供することを課題とするものである。
【課題を解決するための手段】
【０００９】
本発明者は上記の課題を解決すべく鋭意試行錯誤を重ねた結果、本発明者が新たに開発した比較的簡単な構造の傾斜展示部材を用いると、従来から書籍等を直立整列保持するために使用されているブックエンドが傾斜展示具として使用でき、傾斜展示専用の展示具がなくても、必要なときに随時傾斜展示を行うことができることを見出した。
【００１０】
すなわち、本発明は、舌状に突き出た底板と、前記底板に対して略垂直に立ち上がる側板とを備えたブックエンドの傾斜展示具としての使用方法であって、平面状の切れ込みを有する傾斜展示部材を用い、前記ブックエンドの前記底板の少なくとも一部を、前記傾斜展示部材の前記切れ込み内に挿入し、前記切れ込みをその平面に対して垂直方向に押し広げることによって、前記切れ込みの上下面で前記底板を挟持させて前記ブックエンドと前記傾斜展示部材とを一体化させ、一体化した前記ブックエンドと前記傾斜展示部材とが前記底板の下面を下方に向けて平面上に載置されたとき、前記底板の後部及び前記傾斜展示部材の下部が前記平面と当接することにより、前記底板及び前記側板がそれぞれ水平面及び垂直面に対して傾斜し、前記底板の上面を被展示物の下部の支承面、前記側板の前記底板の舌状に突き出た先端部側の面を被展示物の背部の支承面として使用するブックエンドの傾斜展示具としての使用方法を提供することによって上記課題を解決するものである。
【００１１】
すなわち、本発明に係るブックエンドの傾斜展示具としての使用方法においては、ブックエンドの舌状に突き出た底板の少なくとも一部を、別途用意した傾斜展示部材の切れ込み内に挿入するというだけの簡単な作業によって、ブックエンドを傾斜展示具として使用することが可能になる。傾斜展示部材の切れ込み内に挿入されるのはブックエンドの底板の一部であれば良いが、その一部には舌状に突き出た前記底板の両側部が含まれているのが望ましい。傾斜展示部材の切れ込み内に挿入されるブックエンドの底板の一部に底板の両側部が含まれている場合には、傾斜展示部材の切れ込みによって、底板をその幅方向の全長で挟持することができるので、ブックエンドと傾斜展示部材との一体化がより確実となり、ブックエンドを安定的に傾斜状態に保つことができるという利点が得られる。
【００１２】
さらに、本発明に係るブックエンドの傾斜展示具としての使用方法においては、傾斜展示部材の切れ込み内に挿入されるブックエンドの底板の一部は、舌状に突き出た底板のブックエンドの側板からの突出長さの１／２よりも前記側板から遠い位置にあるのが好ましい。斯かる場合には、傾斜展示部材と一体化されたブックエンドをブックエンドの底板の下面を下向きに平面上に載置したときに、ブックエンドを傾斜状態に支える支点間の距離が長くなるので、傾斜状態での安定性がより向上するという利点が得られる。
【００１３】
また、本発明は、上記本発明に係るブックエンドの傾斜展示具としての使用方法に用いられる傾斜展示部材であって、ブックエンドの底板の少なくとも一部が挿入可能な平面状の切れ込みを有する傾斜展示部材を提供することによって、上記課題を解決するものである。
【００１４】
なお、切れ込みとは切ったあとが深く入り込んだ状態にある部分をいい、平面状の切れ込みとは、切ったあとが平面状であることを意味している。このような平面状の切れ込みは、例えば、カッター等の切断具の直線状の刃先を傾斜展示部材に対して押し当て、直線状又は平面状に移動させることによって形成することができる。或いは、傾斜展示部材に切れ込みを入れる代わりに、傾斜展示部材を構成する複数の部材を切れ込みとなる部分だけを残して接着乃至は結合することによって、実質的に切れ込みと同様にその上下面が繋がっていない平面状部分を形成し、これを切れ込みとしても良い。
【００１５】
本発明の傾斜展示部材の好ましい一態様において、平面状の前記切れ込みは、切れ込みの平面を水平に位置させたときの傾斜展示部材の高さ方向中心からずれた位置に設けられている。切れ込みの位置が傾斜展示部材の高さ方向中心からずれている場合には、傾斜展示部材を上下反転して用いることによって、平面上に載置したときのブックエンドの傾斜角度を変えることができるという利点が得られる。
【００１６】
さらに、本発明の傾斜展示部材の好ましい一態様において、平面状の前記切れ込みは傾斜展示部材を貫通している。切れ込みが傾斜展示部材を貫通している場合には、ブックエンドの底板を傾斜展示部材を貫通させて切れ込み内に挿入することができるので、底板と切れ込みの上下面との接触面積が増大し、両者間に働く摩擦力によってブックエンドと傾斜展示部材とをより確実、強固に一体化できるという利点が得られる。
【００１７】
さらに、本発明の傾斜展示部材は切り欠き部を有し、その切り欠き部によって、平面状の前記切れ込みが２つ又はそれ以上に分割されていても良い。ブックエンドと傾斜展示部材との一体化に支障がない範囲内で傾斜展示部材の一部を切り欠き、欠落させることによって、傾斜展示部材の材料の節約又は重量及び容積の低減を図ることができる。
【００１８】
また、本発明の傾斜展示部材においては、前記ブックエンドの前記底板の少なくとも一部が切れ込み内に挿入されたときに前記傾斜展示部材の上面、又は前記底板の舌状に突き出た先端部側となる面に、文字、絵、図形、又は記号の表示部を有しているのが望ましい。斯かる表示部に、例えば動物の絵やキャラクターのデザイン、書籍名、ＤＶＤのタイトル、キャッチコピーなどを記載、表示することによって、見る人の注意をより一層引きつけたり、イメージの伝達や、情報発信の場として利用することができる。
【００１９】
さらに、本発明は、舌状に突き出た底板と前記底板に対して略垂直に立ち上がる側板とを備えたブックエンドと、上述した本発明に係る傾斜展示部材とが、前記ブックエンドの底板の少なくとも一部が、前記傾斜展示部材の前記切れ込み内に挿入され、前記切れ込みの上下面で前記底板を挟持させることによって、互いに結合、一体化されている傾斜展示用結合体を提供することによって、上記課題を解決するものである。
【００２０】
なお、本発明の傾斜展示具としての使用方法及び傾斜展示用結合体が対象とする被展示物には制限はなく、例えば、書籍、図書、雑誌、カタログ、パンフレット、写真、絵画、版画、ＣＤ、ＤＶＤ、ブルーレイディスク、その他の記録媒体等を被展示物とすることができるが、それら以外にも、傾斜展示することができるものであれば何であっても良い。
【発明の効果】
【００２１】
本発明のブックエンドの傾斜展示具としての使用方法によれば、通常は書籍、図書等を直立状態で並べて保持するのに使用されているブックエンドを、本発明の傾斜展示部材と一体化するだけの簡単な作業によって、傾斜展示具として使用することができるので、専用の傾斜展示具を必要とすることなく、必要なときに随、傾斜展示を実行することができるという利点が得られる。また、傾斜展示を必要としない場合には、ブックエンドから本発明の傾斜展示部材を取り外すことによって、ブックエンド本来の用途に使用することができるので、ブックエンドを傾斜展示具及び通常のブックエンド双方の用途に無駄なく使用できるという利点も得られる。
【００２２】
さらに、本発明の傾斜展示部材は、平面状の切れ込みを有するだけという簡単な構造でありながら、ブックエンドと組み合わせることによって、安定した傾斜展示を実現することができるという優れた利点を備えており、かつ、制作が簡単で、形状を例えば直方体に揃えておく場合には、不使用時の収納に際しては、単に直方体を積み重ねただけのスペースしか必要とせず、コンパクトに収納できるという利点も有している。加えて、本発明の傾斜展示部材は、不使用時には、例えば、図書や書籍と書棚の背板との間に配置して、書棚の奥行き調整にも使用することができる。
【００２３】
また、ブックエンドと本発明の傾斜展示部材とが一体化されている本発明の傾斜展示用結合体によれば、書籍、図書等の被展示物を安定して傾斜展示することができるという利点が得られる。また、本発明の傾斜展示用結合体は、ブックエンドの底板の一部を傾斜展示部材の切れ込み内に挿入することによって本来は別体であるブックエンドと本発明の傾斜展示部材とが確実に一体化されているので、持ち運びが容易であり、被展示物の交換時にも両者の位置がずれたり、外れたりすることがなく、あたかも、元々一体物として作成された傾斜展示具であるかのように、安心して使用することができるという利点を有している。
【図面の簡単な説明】
【００２４】
【図１】本発明の使用方法に用いられるブックエンドと傾斜展示部材の一例を示す斜視図である。
【図２】傾斜展示部材の平面図である。
【図３】傾斜展示部材の一部だけを取り出して示す拡大図である。
【図４】切れ込みが垂直方向に押し広げられた状態を示す図である。
【図５】本発明の使用方法の一例を示す図である。
【図６】本発明の傾斜展示用結合体の一例を示す斜視図である。
【図７】本発明の傾斜展示用結合体の一例を示す平面図である。
【図８】本発明の傾斜展示用結合体の一例の使用状態を示す側面図である。
【図９】傾斜展示部材の他の一例を示す右側面図である。
【図１０】本発明の傾斜展示用結合体の他の一例の使用状態を示す側面図である。
【図１１】傾斜展示部材の収納状態の一例を示す斜視図である。
【図１２】傾斜展示部材の他の一例を示す図である。
【図１３】傾斜展示部材の他の一例を示す図である。
【図１４】傾斜展示部材の他の一例を示す図である。
【図１５】傾斜展示部材の他の一例を示す図である。
【図１６】本発明の傾斜展示用結合体の他の一例を示す平面図である。
【図１７】傾斜展示部材の他の一例を示す図である。
【図１８】傾斜展示部材の他の一例を示す図である。
【図１９】本発明の傾斜展示用結合体の他の一例を示す平面図である。
【発明を実施するための形態】
【００２５】
以下、図面を用いて本発明を詳細に説明するが、本発明が図示のものに限られないことは勿論である。
【００２６】
図１は、本発明に係るブックエンドの傾斜展示具としての使用方法に用いられるブックエンドと傾斜展示部材の一例を示す斜視図である。図１において、１はブックエンドであり、２はブックエンド１の底板、３はブックエンド１の側板である。２ｕは底板２の上面、２ｄは底板２の下面、２ｐは底板２の舌状に突き出た先端部を示している。また、３ｆは側板３の正面、３ｂは背面であり、それぞれ、底板２の舌状に突き出た先端部２ｐ側に位置する側板３の面、及び底板２の舌状に突き出た先端部２ｐとは反対側に位置する側板３の面に相当する。
【００２７】
本発明の使用方法においては、図１に示すように舌状に突き出た底板２と、底板２から略垂直に立ち上がる側板３を備えたブックエンド１であれば、基本的に細部の形状がどのようなものであっても使用することができる。すなわち、舌状に突き出た底板２と、底板２から略垂直に立ち上がる側板３を備えたブックエンド１は、通常、底板２の上面２ｕ上に書籍等を載置し、その重量でブックエンド１を安定させつつ、同時に、側板３の正面３ｆで底板２の上面２ｕ上に載置された書籍等を倒れないように支えるものであるので、底板２の上面２ｕと側板３の正面３ｆとで挟まれる空間内には何も存在しない。このため、底板２の上面２ｕで傾斜展示する被展示物の下端部を支承し、側板３の正面３ｆで被展示物の背面を支承することができるので、舌状に突き出た底板２と、底板２から略垂直に立ち上がる側板３を備えたブックエンド１は、本発明の使用方法において好適に用いることができる。
【００２８】
また、本発明の使用方法で用いるブックエンド１を構成する材料にも特段の制限はなく、舌状に突き出た底板２と、底板２から略垂直に立ち上がる側板３を備えたブックエンドである限り、どのような材料で作成されているものであっても良いが、通常のブックエンドと同様に、金属又はプラスチックで作成されているものが好適に用いられる。底板２の下面２ｄには、適宜の滑り止めが施されていても良いが、後述するとおり、底板２は傾斜展示部材の切れ込み内に挿入する部分であるので、その厚さは比較的薄い方が好ましい。
【００２９】
Ｌは、側板３の正面３ｆから底板２の先端部２ｐまでの長さであり、底板２の側板３からの突出長さに相当する。Ｍは、底板２の側板３からの突出長さの１／２、すなわち、Ｌ／２に相当する位置を示す中央線である。Ｗは底板２の側板３からの突出部分の幅であり、本例のブックエンド１においては、幅Ｗは側板３の正面３ｆから先端部２ｐの近傍に至るまで一定である。
【００３０】
４は傾斜展示部材である。傾斜展示部材４を図示の状態、すなわち、ブックエンド１の底板２の挿入が開始される側の切れ込み５の開口を底板２と平行にして、ブックエンド１の側に向けた状態で、４ｆは傾斜展示部材４の正面（ブックエンド１とは反対側の面）、４ｂは背面（ブックエンド１側の面）、４ｒは右側面、４ｌは左側面、４ｕは上面、４ｄは下面を示している。なお、本例において、傾斜展示部材４は直方体形状であり、正面４ｆと背面４ｂ、右側面４ｒと左側面４ｌ、及び上面４ｕと下面４ｄとは、それぞれ平行である。Ｈは、上面４ｕと下面４ｄとの距離であり、傾斜展示部材４の高さに相当する。Ｎは傾斜展示部材４の高さ方向の中心を表す中心線であり、上面４ｕ及び下面４ｄからそれぞれ（Ｈ／２）の距離に位置している。
【００３１】
５は傾斜展示部材４に設けられた切れ込みである。切れ込み５は、平面状で、傾斜展示部材４を正面４ａから背面４ｂまで連続して貫通しており、正面４ａと背面４ｂの双方に開口している。しかしながら、切れ込み５は、傾斜展示部材４の右側面４ｒ及び左側面４ｌには到達しておらず、右側面４ｒ及び左側面４ｌには開口していない。本例において、切れ込み５は傾斜展示部材４の上面４ｕ及び下面４ｄと平行な平面状であり、下面４ｄから切れ込み５の平面までの距離ｈは、傾斜展示部材４の下面４ｄから中心線Ｎまでの距離（Ｈ／２）よりも大きい。したがって、切れ込み５は、その切れ込みの平面を水平に位置させた状態で、傾斜展示部材４の高さ方向の中心である中心線Ｎから距離｛ｈ−（Ｈ／２）｝だけ上方にずれた位置に設けられていることになる。
【００３２】
図２は傾斜展示部材４の平面図であり、その内部に存在する切れ込み５も併せて示してある。図２に示すとおり、切れ込み５は平面的には長方形状をしており、ｖはその幅方向長さ、ｄはその深さ方向長さである。本例においては、切れ込み５は、傾斜展示部材４の正面４ａから背面４ｂまで連続して貫通しているので、その深さ方向長さｄは傾斜展示部材４の奥行方向の長さＤと等しく、その幅方向長さｖは傾斜展示部材４の幅方向長さＳよりも小さい。因みに、底板２を挿入する必要上、切れ込み５の幅方向長さｖは、底板２の側板３からの突出部分の幅Ｗよりも大きく設定されている。
【００３３】
図３は、図１における傾斜展示部材４の円αで囲まれた部分だけを取り出して拡大して示す図である。５ｕは切れ込み５の上面、５ｄは切れ込み５の下面であり、図３においては、分かり易くするために上面５ｕと下面５ｄとを間隔をあけて示してあるが、切れ込み５の上面５ｕと下面５ｄとは、通常、一部又はその全部が互いに接触した状態にあり、同一平面上にある。
【００３４】
傾斜展示部材４は弾性のある材料で作成されているので、切れ込み５に、例えばブックエンド１の底板２が挿入されると、進入してくる底板２によって切れ込み５の上面５ｕに対しては上向きの、下面５ｄに対しては下向きの力が作用する。この力によって、上面５ｕと下面５ｄとは上方又は下方に移動及び／又は変形し、図４に矢印で示すとおり、切れ込み５は、元々平面状であったその平面に対して垂直方向に押し広げられることになる。それとともに、弾性のある材料で作成されている傾斜展示部材４には元の状態に戻ろうとする復元力が働き、その復元力によって上面５ｕ及び下面５ｄは、切れ込み５内に挿入された底板２を上下から挟み付け、底板２は切れ込み５の上面５ｕと下面５ｄとによって挟持されることになる。
【００３５】
傾斜展示部材４を構成する弾性のある材料としては、例えば、ポリエチレン、ポリウレタン、又はポリスチレンなどの合成樹脂やゴム、或いは、ポリエチレン発泡材、ポリウレタン発泡材、又はポリスチレン発泡材などの合成樹脂発泡材、又は発泡ゴムなどが好適に用いられるが、中でもポリエチレン発泡材がその有している弾性力の点で最も好ましい。
【００３６】
また、傾斜展示部材４は、弾性力が大きいとともに摩擦係数の大きな材料で構成されている方が、底板２を挟持して、ブックエンド１と傾斜展示部材４とをより確実に一体化する上で好ましい。斯かる観点からも、傾斜展示部材４を構成する材料としては、先に挙げたポリエチレン発泡材、ポリウレタン発泡材、又はポリスチレン発泡材などの合成樹脂発泡材、又は発泡ゴムなどが好ましく用いられ、中でもポリエチレン発泡材が最も好ましく用いられる。なお、傾斜展示部材４は、切れ込み５を含むその全体が弾性のある材料及び／又は摩擦係数が大きな材料で構成されていても良いが、切れ込み５を包含する部分だけが弾性のある材料及び／又は摩擦係数が大きな材料で構成されていても良い。
【００３７】
以下、図５〜図８を用いて、ブックエンド１の傾斜展示具としての使用方法を説明する。まずは、図５に矢印で示すとおり、ブックエンド１の舌状に突き出た底板２をその先端部２ｐから、傾斜展示部材４に設けられている切れ込み５内に挿入する。
【００３８】
図６は、ブックエンド１の底板２が傾斜展示部材４に設けられている切れ込み５内に挿入され、傾斜展示部材４を貫通して、先端部２ｐを含む底板２の先端部分が傾斜展示部材４の正面４ｆの側に顔を出した状態を示す斜視図である。図７はその平面図であり、図７において、ハッチングで示す２ｓ１は底板２の右側部、２ｓ２は底板２の左側部である。
【００３９】
先に図３及び図４を用いて説明したとおり、底板２を切れ込み５内に挿入することにより、切れ込み５の上面５ｕ及び下面５ｄは、それぞれ上下に移動及び／又は変形し、切れ込み５は、その元の平面に対して垂直方向に押し広げられる。同時に、切れ込み５は、自身が有する弾性力によって元の状態に戻ろうとし、その上面５ｕ及び下面５ｄによって底板２を上下から挟持するので、図６及び図７に示すとおり、ブックエンド１と傾斜展示部材４とは一体化される。
【００４０】
なお、底板２が切れ込み５によって挟持されることによるブックエンド１と傾斜展示部材４との一体化は極めて確実、強固であり、ブックエンド１又は傾斜展示部材４のいずれか一方だけを全体を持って持ち上げたり、移動させても、ブックエンド１と傾斜展示部材４との結合関係には殆ど変化がなく、ブックエンド１と傾斜展示部材４とが一体化されている本発明の傾斜展示用結合体は、あたかも、ブックエンド１と傾斜展示部材４とが元々一体に作成されていたかのように取り扱うことができ、極めて便利である。
【００４１】
なお、ブックエンド１と傾斜展示部材４とを一体化して、ブックエンド１を傾斜展示具として使用するには、ブックエンド１の底板２の少なくとも一部が切れ込み５内に挿入され、切れ込み５をその元々平面状であった平面に対して垂直方向に押し広げることによって、切れ込み５の上面５ｕ及び下面５ｄで挟持されれば良い。ただし、ブックエンド１と傾斜展示部材４との一体化をより確実、強固なものとするためには、底板２の先端部２ｐは図６及び図７に示すように切れ込み５を突き抜けて傾斜展示部材４の正面４ｆ側まで貫通しているのが好ましく、それによって、底板２の右側部２ｓ１及び左側部２ｓ２の双方の少なくとも一部が切れ込み５内に挿入されているのが望ましい。底板２の両側部２ｓ１及び２ｓ２の少なくとも一部が共に切れ込み５内に挿入され、切れ込み５によって挟持されている場合には、底板２の幅方向の全長にわたって底板２が切れ込み５に挟持されることになるので、ブックエンド１と傾斜展示部材４とが一体化された傾斜展示用結合体の安定性がより一層増すことになる。
【００４２】
また、被展示物を傾斜状態で載置したときの安定性からいえば、底板２の傾斜展示部材４の切れ込み５内に挿入されている部分の少なくとも一部は、底板２の中央線Ｍよりも側板３から遠い側、換言すれば、舌状に突き出た底板２の側板３からの突出長さＬの１／２よりも側板３から遠い側に位置しているのが好ましく、より好ましくは、図７に示すとおり、傾斜展示部材４の背面４ｂが中央線Ｍよりも側板３から遠い位置にあり、底板２の切れ込み内５に挿入されている部分の全部が、中央線Ｍよりも側板３から遠い位置、換言すれば、舌状に突き出た底板２の側板３からの突出長さの１／２よりも側板３から遠い位置にあるのがよい。
【００４３】
図８は、上述のようにして一体化したブックエンド１と傾斜展示部材４との結合体を、ブックエンド１の底板２の下面２ｄを下方に向けて平面β上に載置したときの状態、すなわち、傾斜展示具として使用するときの状態を示す側面図である。図８に示すとおり、ブックエンド１と傾斜展示部材４との結合体を、ブックエンド１の底板２の下面２ｄを下方に向けて平面β上に載置すると、底板２の後部２ｒ及び傾斜展示部材４の下部が平面βと当接し、底板２及び側板３はそれぞれ水平面及び垂直面に対して傾斜した状態で維持され、傾斜展示具として機能することになる。
【００４４】
このような状態で、例えば書籍Ｂを、図８に示すように、その下端部を底板２の上面２ｕに当接させ、その背面を側板３の正面３ｆと当接させて、ブックエンド１と傾斜展示部材４との結合体上に載置すると、書籍Ｂはその正面を斜め上方に向けた傾斜状態でブックエンド１と傾斜展示部材４との結合体上に保持され、傾斜展示されることになる。このとき、傾斜展示部材４の背面４ｂは、その上端が底板２の上面２ｕよりも上方に飛び出しているので、書籍Ｂの下端部が何らかの拍子に底板２の先端部２ｐ側に向かって滑った場合でも、その下端部と接触し、書籍Ｂの下端部がそれ以上滑るのを防止することができ、より安定した傾斜展示を実現することができる。或いは、当初から書籍Ｂの下端部を背面４ｂに当接させて、傾斜展示部材４の背面４ｂを書籍Ｂの下端部の受け面として使用しても良い。
【００４５】
また、図８に示すように、ブックエンド１の底板２を傾斜展示部材４の切れ込み５内に挿入した状態では、傾斜展示部材４の上面４ｕ及び正面４ｆが底板２の舌状に突き出た先端部側となり、被展示物である書籍Ｂと同方向を向くので、ここに適宜の文字、絵、図形、又は記号などを貼り付けるか、印刷しておくか、或いは適宜の文字、絵、図形、又は記号などを印刷したシート又は紙を挿入するホルダーか、さらには小型の電子表示パネルなどを設けておくことによって、メッセージ、イメージ、情報等を発信する表示部として利用することができる。
【００４６】
なお、図１に基づいて説明したとおり、本例の傾斜展示部材４においては、切れ込み５が、傾斜展示部材４の高さ方向の中心線Ｎからずれた位置に設けられているので、傾斜展示部材４を上下反転して使用することによって、切れ込み５が設けられている高さ方向の位置をｈから（Ｈ−ｈ）に変更することができる。切れ込み５の高さ方向の位置が変わると、切れ込み５に底板２を挿入したときの底板２の傾斜展示部材４に対する高さ方向の位置も変わるので、ブックエンド１と傾斜展示部材４との結合体を平面β上に載置したときの底板２の上面２ｕ及び側板３の正面３ｆの水平及び垂直方向からの傾斜角度も変わることになる。このように、切れ込み５が傾斜展示部材４の高さ方向の中心線Ｎからずれた位置に設けられている場合には、傾斜展示部材４を上下反転して使用することによって、傾斜展示の角度を変更することができるという利点がある。
【００４７】
また、底板２の切れ込み５内への挿入深さを変えることによっても、傾斜展示の角度を変更することができる。すなわち、図８に示す状態から、傾斜展示部材４を左側に少し引き抜いて、底板２の切れ込み５内への挿入深さを浅くすると、平面βと当接する底板２の後部２ｒと傾斜展示部材４の下部との距離が長くなるので、底板２の上面２ｕ及び側板３の正面３ｆの水平及び垂直方向からの傾斜角度は小さくなり、逆に、傾斜展示部材４を右側に押し込んで、底板２の切れ込み５内への挿入深さを深くすると、平面βと当接する底板２の後部２ｒと傾斜展示部材４の下部との距離が短くなるので、底板２の上面２ｕ及び側板３の正面３ｆの水平及び垂直方向からの傾斜角度は大きくなる。
【００４８】
このように、本発明のブックエンドの傾斜展示具としての使用方法及び傾斜展示用結合体によれば、傾斜展示部材４の上下方向を反転させたり、切れ込み５に対する底板２の挿入深さを変えることによって、傾斜展示の角度を変更、調整することが可能である。
【００４９】
なお、上に説明した例においては、平面状の切れ込み５は、直方体形状の傾斜展示部材４の上面４ｕ及び下面４ｄと平行に設けられているが、必ずしも平行に設けなければならないことはなく、例えば図９に示すように、直方体形状の傾斜展示部材４の上面４ｕ及び下面４ｄに対して傾斜させて設けても良い。平面状の切れ込み５が傾斜展示部材４の上面４ｕ及び下面４ｄに対して傾斜している場合には、底板２を切れ込み５内に挿入する深さにも依るが、例えば、図１０に示すように、ブックエンド１と傾斜展示部材４の結合体を平面β上に載置したときに、傾斜展示部材４の下面４ｄの全面を平面βと接触させることができるので、傾斜展示具としての安定性をより向上させることができる。
【００５０】
上述したような平面状の切れ込み５は、カッター等の適宜の切断道具を用いて、傾斜展示部材４に切れ込みを入れることによって容易に設けることができる。切れ込み５によってブックエンド１の底板２をより確実に挟持するという観点からは、切れ込み５の上面５ｕと下面５ｄとの間隙は小さい方が良く、何も挿入物がないときには、上面５ｕと下面５ｄとは少なくとも一部、好ましくは全面で接触しているのが好ましい。ただし、ブックエンド１の底板２の厚みが大きい場合には、切れ込み５を構成する上面５ｕと下面５ｄとの間には間隙があっても良く、例えば、上面５ｕと下面５ｄとが短い距離を隔てて対向するスリット状の切れ込みであっても良い。
【００５１】
また、切れ込み５は、傾斜展示部材４にカッター等の切断道具で切れ込みを入れる代わりに、傾斜展示部材４を構成する複数個の部分に分割された部材を、切れ込み５に相当する部分だけを残して、互いに接着、融着等の手段で結合することによって作成しても良い。なお、一つの傾斜展示部材４に平面状の切れ込み５を２つ以上設けても良いことはいうまでもない。
【００５２】
以上のとおり、本発明のブックエンドの傾斜展示具としての使用方法によれば、本来は書籍等を直立状態で並べて保持するために使用されるごく普通のブックエンド１を、傾斜展示が必要とされるときに、随時、その底板２の一部を傾斜展示部材４に設けられている切れ込み５内に挿入してブックエンド１と傾斜展示部材４とを一体化させるという極めて簡単な作業で、安定した傾斜展示具として使用することができる。また、傾斜展示が不要となった場合には、ブックエンド１の底板２を傾斜展示部材４の切れ込み５から抜き取れば良く、傾斜展示部材４から抜き取られたブックエンド１は、またブックエンド本来の用途に使用することができるので、傾斜展示具専用の収納スペースを用意する必要がない。一方、ブックエンド１を抜き取った傾斜展示部材４は、直方体形状をしているので、例えば、図１１に示すように、さらに大きな直方体形状に積み重ねてコンパクトに収納することが可能である。
【００５３】
なお、上に説明した例においては、傾斜展示部材４の形状は直方体であったが、傾斜展示部材４の形状は直方体に限られない。例えば、図１２の（ａ）に正面図、（ｂ）に右側面図を示すような円柱形状であっても良く、図１３の（ａ）に正面図、（ｂ）に右側面図を示すような円柱を円の直径からずれた位置で切断した形状であっても良く、その他、立方体、かまぼこ形、角柱、角錐、角錐台、円錐、円錐台、楕円柱、楕円錐等の形状であっても良い。
【００５４】
また、図１４の（ａ）に平面図、（ｂ）に右側面図を示すように、切れ込み５は、傾斜展示部材４を貫通していなくても良い。この場合には、ブックエンド１の底板２の先端部分のみが切れ込み５内に挿入されることになる。
【００５５】
さらには、図１５の（ａ）に正面図、（ｂ）に右側面図、（ｃ）に平面図を示すように、傾斜展示部材４に設けられている切り欠き部γによって、平面状の切れ込み５が切れ込み５１と５２の２つに分割されていても良い。このように傾斜展示部材４が、切り欠き部γによって分割された２つの切れ込み５１と５２を有している場合には、図１６に示すとおり、ブックエンド１の底板２の右側部２ｓ１及び左側部２ｓ２の双方が、それぞれ切れ込み５１及び５２内に挿入され、切れ込み５１及び５２によって挟持されることになる。図１６に示されたものも、ブックエンド１と傾斜展示部材４とが結合、一体化した、本発明に係る傾斜展示用結合体の一例である。
【００５６】
また、図１７の（ａ）に正面図、（ｂ）に平面図を示すように、傾斜展示部材４に設けられている切り欠き部γによって、平面状の切れ込み５が、さらに切れ込み５１〜５４の４つに分割されていても良い。
【００５７】
さらに、図１８の（ａ）に正面図、（ｂ）に右側面図、（ｃ）に平面図を示すように、切り欠きγがさらに深化して、傾斜展示部材４自身が２の傾斜展示部材４１と４２に分割されても良い。このように傾斜展示部材４自身が、切り欠き部γによって２つの傾斜展示部材４１と４２に分割されている場合には、図１９に示すとおり、ブックエンド１の底板２の右側部２ｓ１及び左側部２ｓ２のそれぞれを傾斜展示部材４１の切れ込み５１及び傾斜展示部材４１の５２内に挿入することにより、底板２は切れ込み５１及び５２によって挟持されることになる。図１９に示されたものも、ブックエンド１と傾斜展示部材４とが結合、一体化した、本発明に係る傾斜展示用結合体の一例である。
【産業上の利用可能性】
【００５８】
以上述べたとおり、本発明は、通常は書籍等を立てて並列保持するのに使用されるブックエンドを簡単な作業で傾斜展示具として使用することを可能にするものであり、傾斜展示に際し専用の傾斜展示具を必要とすることなく、また、傾斜展示をしない場合には、ブックエンド本来の用途に使用することができるという優れた利点を有している。本発明は図書館、書店、各種店舗等における書籍やＤＶＤ等の傾斜展示に威力を発揮し、その産業上の利用可能性は多大である。
【符号の説明】
【００５９】
１            ブックエンド
２            底板
３            側板
４            傾斜展示部材
５            切れ込み
β            平面
γ            切り欠き部
【図１】
2018068991.tif 000003
【図２】
2018068991.tif 000004
【図３】
2018068991.tif 000005
【図４】
2018068991.tif 000006
【図５】
2018068991.tif 000007
【図６】
2018068991.tif 000008
【図７】
2018068991.tif 000009
【図８】
2018068991.tif 000010
【図９】
2018068991.tif 000011
【図１０】
2018068991.tif 000012
【図１１】
2018068991.tif 000013
【図１２】
2018068991.tif 000014
【図１３】
2018068991.tif 000015
【図１４】
2018068991.tif 000016
【図１５】
2018068991.tif 000017
【図１６】
2018068991.tif 000018
【図１７】
2018068991.tif 000019
【図１８】
2018068991.tif 000020
【図１９】
2018068991.tif 000021